(57)【要約】【課題】本発明は加熱調理器の収納性向上に関するものである。【解決手段】底枠８と上枠１１とを有する本体ケース１と、この本体ケース１の内部に設けたヒーター５と、このヒーター５上に着脱自在に載置される調理プレート６とを備えた加熱調理器において、前記上枠１１の外周部と底枠８の外周部に夫々内向きの段差１２、９を設けるとともに、本体ケース１とは別体のカバー１３を設け、このカバー１３は加熱調理器の収納時には上枠１１の段差１２に嵌め込まれ該上枠１１に被せられ、調理時には底枠８の段差９に嵌め込んで取り付けられ、この取り付けによりカバー１３と底枠８とで形成される空間を調理プレート６の熱を加熱調理器の置き台１５に伝導しにくくする断熱空間２とした。【選択図】  図２
2004195034.tif 000002
【特許請求の範囲】
【請求項１】
底枠（８）と上枠（１１）とを有する本体ケース（１）と、この本体ケース（１）の内部に設けたヒーター（５）と、このヒーター（５）上に着脱自在に載置される調理プレート（６）とを備えた加熱調理器において、前記上枠（１１）の外周部と底枠（８）の外周部に夫々内向きの段差（１２）、（９）を設けるとともに、本体ケース（１）とは別体のカバー（１３）を設け、このカバー（１３）は加熱調理器の収納時には上枠（１１）の段差（１２）に嵌め込まれ該上枠（１１）に被せられ、調理時には底枠（８）の段差（９）に嵌め込んで取り付けられ、この取り付けによりカバー（１３）と底枠（８）とで形成される空間を調理プレート（６）の熱を加熱調理器の置き台（１５）に伝導しにくくする断熱空間（２）としたことを特徴とする加熱調理器。
【発明の詳細な説明】
【０００１】
【発明の属する技術分野】
本発明はホットプレート等の加熱調理器の構造に関し、特に薄型にして収納性を向上した加熱調理器に関するものである。
【０００２】
【従来の技術】
従来のこの種の加熱調理器は、例えば第３図に示すような構造のものが一般に知られている。
【０００３】
すなわち、３は加熱調理器本体、１は樹脂製の材料により形成された平面長円形状の受け皿状の本体ケース、１０は該本体ケース１の底部の上方に遮熱板支持部材１６を介して設けられた同じく平面長円形状の遮熱板、５は該遮熱板１０の上部にヒーター支持部材４を介して設けられたヒーター、６は該ヒーター５の上部に着脱自在に載置され、ヒーター５の発熱で加熱される同じく平面長円形状の調理プレートで、図示していないがその上面には上蓋が着脱自在に被されている。１５は加熱調理器本体３を載せる置き台である（例えば特許文献１参照）。
【０００４】
【特許文献１】
特開平８−２１５０６０号公報
【０００５】
【発明が解決しようとする課題】
しかしながら、上記の従来技術によれば、加熱調理器本体３で調理を行うときに調理プレート６の熱が加熱調理器本体３を載せている置き台１５に伝導するのを防ぐため、遮熱板１０と本体ケース１の下面との間に遮熱板支持部材１６の高さの断熱空間を設けていたが、このような空間を確保しているため加熱調理器本体３の高さが高くなり、加熱調理器本体３を使用しない時、物入れ等に収納する場合、場所をとり不便であった。
【０００６】
また、加熱調理器本体３の収納時は、加熱調理器本体３の上面はむき出しのため横にしてしまおうとすると、調理プレート６や上蓋が外れるため横向きにしてしまうことが困難であり、水平にしてしまうことになり更に場所をとる不便があった。
【０００７】
【課題を解決するための手段】
本発明は上記の問題を解決するためになされたものであり、底枠と上枠とを有する本体ケースと、この本体ケースの内部に設けたヒーターと、このヒーター上に着脱自在に載置される調理プレートとを備えた加熱調理器において、前記上枠の外周部と底枠の外周部に夫々内向きの段差を設けるとともに、本体ケースとは別体のカバーを設け、このカバーは加熱調理器の収納時には上枠の段差に嵌め込まれ該上枠に被せられ、調理時には底枠の段差に嵌め込んで取り付けられ、この取り付けによりカバーと底枠とで形成される空間を調理プレートの熱を加熱調理器の置き台に伝導しにくくする断熱空間としたものである。
【０００８】
これによって、調理時はカバーを底枠の段差に嵌め込んで取り付けることにより、底枠下面と置き台との間に断熱用の空間を確保できるため、本体ケースの底部に断熱用の空間を設けなくとも置き台の温度上昇を防止することができる。
【０００９】
また、加熱調理器本体を大幅に薄型化することができるので、収納スペースを取らず、収納の自由度を増すことが出来る。
【００１０】
さらに、加熱調理器を使用しない時はカバーを本体ケースの上枠に被せて調理プレートが外れないようにして収納することができる。
【００１１】
【発明の実施の形態】
以下、本発明の一実施例を図１、図２を参照して説明する。
【００１２】
図１は本発明の一実施例の加熱調理器本体の収納時における縦断面図である。
【００１３】
図１において、３は加熱調理器本体である。１は本体ケースであり、樹脂製の材料で形成された底枠８と上枠１１を有している。底枠８の外周部下方には周方向に沿って内向きの段差９が設けてあり、さらに底枠８の下面には金属製の遮熱板１０が設けてある。
【００１４】
４は遮熱板１０の上面に設けられたヒーター支持部材、５はヒーター支持部材４を介して設けられたヒーター、６はヒーター５の上に着脱自在に載置されヒーター５の発熱で加熱される調理プレート、１４は調理プレート６の上面に着脱自在に被せられる上蓋で、これらは従来例と同じである。
【００１５】
１１は上枠であり、外周部には下部を残して底枠８の段差９と同様の段差１２が周方向に沿って内向きに設けてある。
【００１６】
１３は本体ケース１とは別体に設けたカバーであり、段差９と段差１２に嵌め込み可能な形状となっており、段差１２に嵌め込むことにより上枠１１に被せることが出来る。また後述する底枠８の段差９に嵌め込んだ時のための足１３ａが設けてある。
【００１７】
図２は同じく調理時における縦断面図である。
【００１８】
図２において、１５は加熱調理器本体３で調理する時に加熱調理器本体３を置くためのテーブル等の置き台である。調理時にはカバー１３は上枠１１より取り外して反転させ底枠８の段差９に嵌め込まれて取り付けられている。
【００１９】
２は底枠８と遮熱板１０とカバー１３で囲まれている断熱空間で、調理プレート６の熱が置き台１５に伝導しにくくするための空間である。
【００２０】
以上のような構成により、加熱調理器本体３の調理時には図２に示すようにカバー１３を上枠１１より取り外して反転させ、本体ケース１の底枠８に設けられた段差９に嵌め込んで取り付け、カバー１３に設けられた足１３ａを介して置き台１５の上に置かれる。
【００２１】
そしてヒーター５の発熱により調理プレート６が加熱される調理時は、調理プレート６の熱は遮熱板１０による遮熱の後、底枠８と遮熱板１０とカバー１３で囲まれて形成される断熱空間２でさらに断熱された後、カバー１３に設けられた足１３ａを介して置き台１５に伝導される。またこのときカバー１３自体も遮熱板としての効果を持っている。このようにして置き台１５の温度上昇を問題ない程度にすることができる。
【００２２】
次に、加熱調理器本体３を使用しない時の物入れ等に収納する場合は図１に示すように、カバー１３を本体ケース１の上枠１１に設けられた段差１２に嵌め込んで取り付けることにより、調理時の加熱調理器本体３の高さに比べ加熱調理器本体３の高さはカバー１３の高さ分だけ薄くすることができる。
【００２３】
したがって加熱調理器本体が薄くなることで収納スペースを取らず収納の自由度が増すことができ非常に便利となる。
【００２４】
またカバー１３を上枠１１に被せることにより加熱調理器本体３の上面は極端な凸凹がなくなり、そして加熱調理器本体３を横向きにしても調理プレート６が本体ケース１から外に外れることがなくなるため、横向きにして空いている隙間に収納することができる。
【００２５】
なお本実施例ではカバー１３を下枠８の段差９に嵌め込んで取り付けるようにしたが、段差９はカバー１３を下枠８に嵌め込んで簡単に取れなくなるように凸と凹で嵌め合わすような形状でも良い。
【００２６】
またカバー１３を嵌め込む段差９の隙間部分に、がたつきを無くすようにバネ材を設けてカバー１３のがたつきを無くすとともに、カバー１３が簡単に外れなくするようにしても良い。
【００２７】
【発明の効果】
本発明によれば、調理時はカバーを底枠の段差に嵌め込んで取り付けることにより、底枠下面とテーブル等の置き台との間に断熱用の空間を確保でき、かつ、カバーは遮熱板としての効果も持つため、本体ケースの底部に断熱用の空間を設けなくとも置き台の温度上昇を防止することができる。
【００２８】
また、本体ケースを大幅に薄型化することができるので、収納スペースを取らず、収納の自由度を増すことが出来る。
【００２９】
さらに、加熱調理器本体を使用しない時はカバーを本体ケースの上枠に被せることで加熱調理器本体の上面は極端な凹凸がなくなり、かつ、加熱調理器本体を横向きにしても調理プレートが外れることがないため、横向きにして、空いている隙間に収納することができるようになり、収納スペースを取らず、収納の自由度が増すことが出来る。
【図面の簡単な説明】
【図１】本発明の一実施例の加熱調理器本体の収納時における縦断面図である。
【図２】同じく調理時における縦断面図である。
【図３】従来例の加熱調理器本体の縦断面図。
【符号の説明】
１  本体ケース
２  断熱空間
５  ヒーター
６  調理プレート
８  底枠
９  段差
１０  遮熱板
１１  上枠
１２  段差
１３  カバー
１５  置き台
【図１】
2004195034.tif 000003
【図２】
2004195034.tif 000004
【図３】
2004195034.tif 000005